(57)【特許請求の範囲】
【請求項１】
ムーブメントを封入しているケース（１）と、第１のストランド（２）がケースの第１の側面（３）に固定され、第２のストランド（４）が第１の側面と反対の第２の側面（５）に固定されているリストバンドと、シャッタ上に手操作を加えることにより開閉して、ケースを見えるようにしたり、隠したりすることのできる、ケース上をスライドする２つのスライド式シャッタ型カバー（６、７）と、前記各シャッタを取り付けるために実装されている案内手段（８）および保持手段（９）とを含む実質的に長方形の腕時計であって、前記案内手段（８）および保持手段（９）が互いに別個であり、かつ前記シャッタ（６、７）が前記案内手段（８）から離れるように垂直力（Ｆ）を各シャッタ（６、７）の下に作用させる手段が前記ケース（１）に実装されていることを特徴とする腕時計。
【請求項２】
前記垂直力（Ｆ）を作用させるために実装される手段が、各シャッタ（６、７）の下に配置されたボール（１０）で構成され、前記ボールがケースに固定されて、スプリング（１１）によって押されていることを特徴とする請求項１に記載の腕時計。
【請求項３】
各ボール（１０）が硬質材料、特にセラミックス製であることを特徴とする請求項２に記載の腕時計。
【請求項４】
ボール（１０）がシャッタ（６、７）の下を経路（１２）に沿って移動し、この経路の両端に第１のハウジング（１３）と第２のハウジング（１４）が設けられており、このハウジング中にボールが部分的に入ることにより、前記シャッタをそれぞれ開位置および閉位置にロックすることができることを特徴とする請求項１に記載の腕時計。
【請求項５】
各シャッタ（６、７）をケース（１）に取り付けるための保持手段（９）は、その両端が、ケースに固定されたリステル（１７）の両側に突き出ている少なくとも２つの円筒型ピン（１５、１６）と、リステルの両側にある、シャッタ内に設けられた２つの溝（１８、１９）を含み、前記ピンの端部が前記溝に係合していることを特徴とする請求項１に記載の腕時計。
【請求項６】
各溝（１８、１９）が、シャッタ（６、７）の下に追加したレール（２０、２１）で形成されていることを特徴とする請求項５に記載の腕時計。
【請求項７】
各ピン（１５、１６）が、弾性材料製の封止ガスケットによってリステル（１７）内に保持されていることを特徴とする請求項５に記載の腕時計。
【請求項８】
案内手段（８）がケース（１）から突き出た２つのレール（２２、２３）を含み、前記各レールがシャッタ（１６、１７）内に設けられた溝（２４、２５）に係合していることを特徴とする請求項１に記載の腕時計。
【請求項９】
シャッタ（６、７）が、不注意でケースから放出されるのを防ぐこと、および前記シャッタの移動を制限することの両方のために用いるねじ（２６）を使って、リストバンドの第１（２）および第２（４）のストランドが、ケース（１）に固定されていることを特徴とする請求項１に記載の腕時計。
【請求項１０】
各ねじ（２６）の端部が、シャッタ（６、７）内に設けられた機械加工部分（２８）に係合していることを特徴とする請求項９に記載の腕時計。
【発明の詳細な説明】
【０００１】
【発明の属する技術分野】
本発明は、実質的に長方形の腕時計であって、ムーブメントを封入しているケースと、第１のストランドがケースの第１側面に固定され、第２のストランドが第１のストランドと反対側に固定されたリストバンドと、シャッタ上に手操作を加えることにより、開閉して前記ケースを見えるようにしたり隠したりすることのできる、ケース上をスライドする２つのスライド式シャッタ型カバー（以後はシャッタと記す）と、前記シャッタをケースに堅固に取り付けるために実装されている案内および保持手段とを含む、腕時計に関する。
【０００２】
【従来の技術】
スライド式シャッタを装着した腕時計を記載した文献は多数引用することができる。例えば、スイス特許第１４４０５５号は、開口を有する時計を備える計時器を開示している。この計時器を特徴づけるものは、通常は開口を覆っており、ケースに配設された２つのすべり路に案内される、２つのスライド式シャッタである。別の引用できる例としてスイス特許第３３７１３８号があり、これで開示された腕時計はスライド式カバーを含んでいる。この文献においては、ケースは長方形の形状であると共に、リストバンドの一端にそれぞれヒンジ結合された２本のスタッドをその両端に備えている。そのカバーは円弧型断面を有し、カバーの長手方向両縁部は案内溝に係合しており、この案内溝はカバーを保持し、それぞれが保護用クリスタルの開口に横付けした中央部の長手方向端の外側面に配置されている。長手方向溝が、各端部の外側の横側面内に設けられ、円弧型カバーの長手方向縁端内側に形成されたリステルがこれを貫通している。この溝とリステルは三角形断面を有することが好ましい。
【０００３】
【発明が解決しようとする課題】
本出願人が検討することのできた多数の文献においても同様であるが、上記の２例においては、シャッタの縁端またはそれに設けられたリステルが、時計ケース内に配置されたすべり路または溝と、その全長かつ全表面にわたってこすれ合う。さらに、調査した文献においては、ケース上にシャッタを保持する手段は、ケース上でシャッタを案内する手段と一体化されている。これには、摩擦表面が大きくなり、その結果摩擦力も大きくなり、シャッタを開閉するためには、腕時計をした人の力がこの摩擦力に打ち勝たねばならないという欠点がある。またこの摩擦力は、互いにスライドする要素が汚損されるにつれて増加しがちであり、このような汚損は、例えば埃と、時計を着用している人の発汗とが組み合わされたものであることにも気づかれるであろう。
【０００４】
上記の欠点は、構成要素の摩擦の影響を低減することにより、特に案内手段と分離された保持手段とを設けて、その結果摩擦力が本質的に保持手段にのみ影響するように構築することによって、大幅に軽減することができる。これが本発明の主目的であることが理解されるであろう。調査した文献においては、シャッタをケースに保持する手段は、ケース上でシャッタを案内する手段と一体化されている。
【０００５】
【課題を解決するための手段】
上記を実施するために、本発明は、案内手段と保持手段を互いに別個のものとすること、およびシャッタを案内手段から離そうとする垂直力を各シャッタの下に作用させるための手段を実装することを特徴とする。
【０００６】
上記に加えてさらなる革新が、問題のシャッタの開閉機構に追加されており、それについて以下で説明する。
【０００７】
【発明の実施の形態】
図１および２の示す腕時計は実質上長方形である。この腕時計は、ムーブメント（図示せず）を封入しているケース１を含み、このケースの上にダイアル３０が装着され、その上を時針３１および分針３２が動く。この時計はまた、第１のストランド２がケースの第１の側面３に固定され、第２のストランド４が第１の側面と反対側の第２の側面５に固定されているリストバンドを含む。２つのシャッタ６、７は、ケース１の上をスライドし、シャッタ６、７に手操作を加えて、開閉することによってケース１が見えるようにしたり（図２）、隠れるようにしたり（図１）することができる。図４において明らかなように、シャッタ６、７のそれぞれ（ここではシャッタ６）が、以下に詳細を説明する案内手段８および保持手段９によってケース１に取り付けられている。
【０００８】
シャッタ型カバーを備える腕時計は、図４から明らかなように、案内手段８が保持手段と別個であり、これによって各シャッタの下方に垂直力Ｆを作用させる手段が実装された場合にのみ、各シャッタ６、７が案内手段８から離れるように作用させられることにおいて従来技術と異なる。したがって、シャッタとケースの間の摩擦面は、前述の文献中の摩擦面と比較してみると、大幅に低減されることが理解されるであろう。結果的に、これによってシャッタを開くのが容易になり、手の力が少なくてすむ。
【０００９】
この必要な力Ｆを作用させるには、異なる方法を使用できる。本出願人が好ましいとする方法の１つを参照するが、この方法はシャッタ６の下方に配置したボール１０を使用するものである。このボールはケース１に取り付けられ、図３に示すように、スプリング１１によって押されている。ボールは、ケース中に埋め込まれたチューブ３３内に保持されている。チューブ３３の上端のクリンプ結合によって、ボールの後半部がチューブからすべり出ないようにしながら、頂部を露出させることができる。スプリング１１は、チューブの底とボールの下部との間に配置する。
【００１０】
シャッタ６が図３に示す開位置から閉位置に移動するとき、ボール１０は、経路１２に沿ってシャッタの下を移動し、この経路の両端に第１のハウジング１３と第２のハウジング１４が設けてあり、このハウジングにボール１０が部分的に入って、シャッタ６を開位置および閉位置にそれぞれロックすることができる。したがって、シャッタ６の開位置においては、ボール１０はハウジング１３中にある。シャッタ６に右から左に力が加えられると、ボール１０はハウジング１３から出て、経路１２に沿って移動し、最後にシャッタの閉位置を決めているハウジング１４に落下する。ここで、ハウジング１３または１４に入るときに、ボール１０はクリック音を発し、このクリック音は時計を身につけている人に動作が終了したことを知らせると共に、他方で高級製品を所有している印象を与えることに気づかれるであろう。なお、本明細書ではボールが移動すると説明しているが、この移動は相対的なものであり、実際はシャッタが移動する。
【００１１】
ボールがこすり合う材料を摩滅させるのを防ぐために、ボール１０は硬質材料、好ましくはセラミックスで製作する。このような選択によって、シャッタの開閉運動中のハード・ポイントやスクラッチングの形態で劣化の兆候が現れるまでには、この機構は非常に長い寿命を持つことを保証することができる。
【００１２】
以下に、シャッタ６、７をケース１に保持する保持手段９について説明する。この保持手段は、溝と係合するピンを備える。図４、５、６でわかるように、この保持手段９は、ケース１に固定されたリステル１７の両端から端部が出ている少なくとも２つのピン１５、１６と、シャッタ６内に設けられリステル１７の両側に配置された２つの溝１８および１９を含む。ピン１５、１６の端部はこれらの溝に係合している。
【００１３】
図４、５で示すように、溝１８は、シャッタ６の下方にねじ３４を使って付け加えたレール２０とシャッタとで形成し、溝１９は、ねじ３５を使ってシャッタ６の下方に付け加えたレール２１とシャッタとで形成することができる。
【００１４】
ここには示していないが、シャッタ６をケース１の側面３に装着するときに、組立てを容易にすると共に、ピン１５、１６がハウジングから不注意にすべり出るのを防ぐために、このピン１５、１６を、リステル内に設けたピンを取り囲む円形溝内に収納した弾性の密封ガスケット、つまりオーリングで支持してもよいことに気づかれるであろう。
【００１５】
シャッタを保持している側面で各シャッタ６、７を案内する案内手段８を図４、５、６に示してある。これらの案内手段は、ケース１から突き出ている２つのレール２２、２３を含み、このレールのそれぞれが、シャッタ６内に設けられた溝２４、溝２５に係合している。案内手段８は、先述の保持手段９とは別個で独立していることがはっきりとわかる。
【００１６】
図４をさらに詳細にみると、ボール１０によって力Ｆで押されているシャッタ６は、上方に動き、これによってケース１の一体部分を形成するピン１５、１６のみが、レール２０、２１を介してシャッタ６上に載っている。
【００１７】
シャッタを開閉するときに、ケースとシャッタの間の摩擦は、ピン１５、１６とレール２０、２１との間の接触線に伝達され、したがって前記ピンの母線上に伝達される。この結果、極端に摩擦の低い表面となり、これによってシャッタの開閉が容易になり、したがってより軽やかになる。図４を調べることで、溝２４、２５それぞれと協働するレール２２、２３で形成される案内手段８は、前述の力Ｆが、レールと溝の間に自由空間を形成させるために、いかなる摩擦力も追加しないことがわかる。したがって、上記の構造は、ケースおよびシャッタが貴金属で製作されている場合には必需品と思われる、慎重に製作された高級製品の提案を可能にする。
【００１８】
この説明は、最後に本発明の別の特異な特徴に焦点を当てる。それは、リストバンドへのストランドの取り付けに関し、図３から明らかなように、シャッタ６がケース１から離脱するのを防ぐことと、シャッタの移動を制限することの両方に使用するねじ２６を使って達成される。
【００１９】
これを実施するために、ヘッド４０を横断バー４１上にとめた、２つのねじ２６が、リストバンドのストランド２の端部を貫通している。ねじ２６は、前記横断バー４１を貫通して、次いでストランド２を貫通し、ケース１の突出部４２中にねじ込まれている。突出部４２は、ねじ２６をねじ込むための内部ねじ穴４３を含む。ねじ２６はその一端、あるいは延長部２７で終端しており、これがケース１から突き出し、シャッタ６内に設けられた機械加工部分２８に係合して、シャッタの移動量を限定するとともに、ケースから離脱するのを防いでいる。したがって、ケース上のシャッタの組立ては、リストバンドのストランドをケースに組み付ける前に行わなくてはならないことが理解されるであろう。
【図面の簡単な説明】
【図１】本発明による腕時計のシャッタを閉じた状態を示す斜視図である。
【図２】本発明による腕時計のシャッタを開いた状態を示す斜視図である。
【図３】図２のシャッタと時計ケースの、リストバンドの長手方向に平行な方向の切断面を示す断面図である。
【図４】図２のシャッタと時計ケースの、リストバンドの長手方向に垂直な方向の切断面を示す断面図である。
【図５】本発明による時計に装着されたシャッタの１つを示す上面図である。
【図６】図５のシャッタを収容するように配設された時計ケースの１側面を示す上面図である。
【符号の説明】
１  ケース
２、４  ストランド
３、５  スライド
６、７  シャッタ
８  案内手段
９  保持手段
１０  ボール
１１  スプリング
１２  経路
１３、１４  ハウジング
１５、１６  ピン
１７  リステル
１８、１９  溝
２０、２１、２２、２３  レール
２４、２５  溝
２６  ねじ
３０  ダイアル
３４、３５  ねじ
４１  横断バー
【図１】
0004065376.tif 000002
【図２】
0004065376.tif 000003
【図３】
0004065376.tif 000004
【図４】
0004065376.tif 000005
【図５】
0004065376.tif 000006
【図６】
0004065376.tif 000007